(57)【要約】【課題】腕時計型の情報機器であっても、内部に浸水したか否かの判別が可能となるようにする。【解決手段】電子部品１０を内蔵する防水筐体１と、その防水筐体１の開口部１ａに密閉状態で配置される、表示可能な表示部２と、を備える防水型電子機器であって、防水型電子機器は内部に防水検査用空間Ｓを有し、その防水検査用空間Ｓに対応する位置であって、表示部２とは異なる位置に防水検査用窓部Ｗを有する。防水検査用空間Ｓは、表示部２の周りに位置し、防水検査用窓部Ｗは、表示部２の周りで防水検査用空間Ｓに対応する位置に配置される。防水検査用空間Ｓ及び防水検査用窓部Ｗは、表示部２の周方向に沿って間隔を開けて複数形成されている。【選択図】図１
2018105632.tif 000002
【特許請求の範囲】
【請求項１】
電子部品を内蔵する防水筐体と、
前記防水筐体の開口部に密閉状態で配置される、表示可能な表示部と、
を備える防水型電子機器であって、
前記防水型電子機器は内部に防水検査用空間を有し、
前記防水検査用空間に対応する位置であって、前記表示部とは異なる位置に防水検査用窓部を有することを特徴とする防水型電子機器。
【請求項２】
前記防水検査用空間は、前記表示部の周りに位置し、
前記防水検査用窓部は、前記表示部の周りで前記防水検査用空間に対応する位置に配置されることを特徴とする請求項１に記載の防水型電子機器。
【請求項３】
前記表示部の周りを覆う外装部材を備えることを特徴とする請求項２に記載の防水型電子機器。
【請求項４】
前記防水検査用空間及び防水検査用窓部は、前記表示部の周方向に沿って間隔を開けて複数形成されていることを特徴とする請求項１から３のいずれか一項に記載の防水型電子機器。
【請求項５】
前記表示部は、板状の表示部材及び操作部材が積層された構成で、
前記表示部材及び操作部材の積層体の外表面側に板状の透明部材が配置されており、
前記防水検査用窓部は、前記透明部材の外周側に形成されていることを特徴とする請求項１から４のいずれか一項に記載の防水型電子機器。
【請求項６】
前記透明部材の外周側で前記防水検査用窓部を除く部分には、印刷部が形成されていることを特徴とする請求項５に記載の防水型電子機器。
【請求項７】
前記透明部材は、前記防水筐体の前記開口部に防水リングを介して圧入されており、
前記防水筐体の前記開口部を囲む周囲壁の外周に嵌め付けられた拘束リングを備えることを特徴とする請求項５または６に記載の防水型電子機器。
【発明の詳細な説明】
【技術分野】
【０００１】
本発明は、防水型の電子機器に関する。
【背景技術】
【０００２】
防水時計においては、特許文献１のように、時計を水に漬けて、その後、所定の条件下でカバーガラスに水滴が付いているか否かを判断することで、浸水したか否かを判断する防水試験がある。
また、現在、腕時計型の情報機器が存在している。
このような腕時計型の情報機器は、ユーザに対して情報を表示する部分として液晶ディスプレイやタッチパネル等で構成される表示部が設けられている。
【先行技術文献】
【特許文献】
【０００３】
【特許文献１】特開２００５−１０６４６９号公報
【発明の概要】
【発明が解決しようとする課題】
【０００４】
しかし、前述したような表示部は、そもそも、それ自身が密閉されており、特許文献１のような防水試験をしようとして、表示部のカバーガラスから覗き込んだとしても、内部に浸水したか否かを判別することは不可能であった。
【０００５】
本発明の課題は、腕時計型の情報機器であっても、内部に浸水したか否かの判別が可能となるようにすることである。
【課題を解決するための手段】
【０００６】
以上の課題を解決するため、本発明は、
電子部品を内蔵する防水筐体と、
前記防水筐体の開口部に密閉状態で配置される、表示可能な表示部と、
を備える防水型電子機器であって、
前記防水型電子機器は内部に防水検査用空間を有し、
前記防水検査用空間に対応する位置であって、前記表示部とは異なる位置に防水検査用窓部を有することを特徴とする。
【発明の効果】
【０００７】
本発明によれば、腕時計型の情報機器であっても、内部に浸水したか否かを判別することができる。
【図面の簡単な説明】
【０００８】
【図１】本発明を適用した電子機器の一実施形態の構成を示すもので、腕時計型の防水ウェアラブル機器の概略平面図である。
【図２】図１の矢印Ａで示す防水検査用窓部の拡大図である。
【図３】図２の矢印Ｂ−Ｂ線に沿った断面図である。
【発明を実施するための形態】
【０００９】
以下、図を参照して本発明を実施するための形態を詳細に説明する。
（実施形態）
図１は本発明を適用した電子機器の一実施形態の概略構成として腕時計型の防水ウェアラブル機器（スマートウォッチ）を示すもので、図２は図１の矢印Ａで示す防水検査用窓部を拡大して示し、図３は図２の矢印Ｂ−Ｂ線に沿った断面を示している。
図中、１は防水筐体、２は表示操作部（表示部）、３はカバーガラス（透明部材）、４はタッチパネル（操作部材）、５はＰＮ液晶パネル（表示部材）、６はＴＦＴ液晶パネル（表示部材）、７はバックライト、Ｓは防水検査用空間、Ｗは防水検査用窓部である。
【００１０】
図示のように、腕時計型の防水筐体１の上面に設けられた円形の開口部１ａに、表示可能な表示部として、実施形態では操作も可能な表示操作部２が密閉状態で配置されている。
この表示操作部２は、防水筐体１の開口部１ａに密閉状態で組み込まれる透明のカバーガラス３と、そのカバーガラス３の内面に貼り付けられた板状の操作部材４と、防水筐体１の内部に収容した二枚の板状の表示部材５・６との積層体で構成される。
【００１１】
すなわち、図３に示すように、カバーガラス３の下面には、板状の操作部材である透明導電膜によるタッチパネル４が貼り付けられて、その周囲にデザイン加飾用の印刷が施されている。
【００１２】
そして、防水筐体１の内部に収容した表示部材は、ＰＮ（高分子分散型）液晶を上下のガラス間に封入したＰＮ液晶パネル５と、ＴＦＴ（薄膜トランジスタ：Thin Film Transistor）液晶を上下のガラス間に封入したＴＦＴ液晶パネル６との積層体で構成され、その積層体を背後から照明するＬＥＤパネル等のバックライト７が設けられている。
さらに、バックライト７上に重ねて接着したＴＦＴ液晶パネル６と、その上のＰＮ液晶パネル５とを、周囲で両面テープ８により貼り付けて、ＰＮ液晶パネル５と、その上のカバーガラス３下面のタッチパネル４とを、周囲で両面テープ９により貼り付けている。
【００１３】
なお、防水筐体１の内部において、バックライト７の下方には、制御基板及び電池等を含む各種電子部品１０が収容されている。
また、防水筐体１の下面には、裏蓋１１が防水パッキン１２を介して密閉状態に取り付けられている。
【００１４】
実施形態において、ＰＮ液晶パネル５、ＴＦＴ液晶パネル６、及びバックライト７は、外形が正八角形で、両面テープ８・９は、外周が対応する正八角形で内周が略円形に形成されている。
そして、ＰＮ液晶パネル５、ＴＦＴ液晶パネル６、及びバックライト７の周りには、図３に示すように、防水検査用空間Ｓが形成されている。
さらに、カバーガラス３の外周側であって、表示操作部２とは異なる位置には、図１に示すように、防水検査用窓部Ｗが形成されており、この防水検査用窓部Ｗは、防水検査用空間Ｓに対応する位置において、印刷を施さないで内部が見えるように形成されている。
【００１５】
ここで、カバーガラス３は、防水筐体１の開口部１ａにエラストマー製の防水リング１３を介し圧入して密閉状態で組み込まれる。
そのカバーガラス３の防水リング１３を介した圧入時において、開口部１ａの周囲壁１ｂは、その外周に嵌め付けた拘束リング１４による拘束作用で変形が防止される。
【００１６】
実施形態では、図１に示すように、カバーガラス３の十字方向に設けた位置決め印１５の間の四辺部に各々沿って、四個の防水検査用窓部Ｗが等間隔を開けてそれぞれ設けられている。
なお、開口部１ａの周囲壁１ｂの上面に沿ってＧＰＳアンテナ１６が設けられている。
【００１７】
以上、実施形態の防水型ウェアラブル機器によれば、防水筐体１の内部に表示操作部２の周りに位置する防水検査用空間Ｓを形成して、カバーガラス３には、その防水検査用空間Ｓに対応する位置に防水検査用窓部Ｗを形成したため、腕時計型の情報機器であっても、前述した防水試験を行って、カバーガラス３の防水検査用窓部Ｗを見て、防水筐体１の内部に浸水したか否かを判別することができる。
【００１８】
そして、防水検査後において、防水筐体１の表示操作部２の周りに、図３に仮想線で示したように、リング状の補助部材による外装部材１７を装着することで、カバーガラス３の防水検査用窓部Ｗは覆い隠される。
【００１９】
（変形例）
以上の実施形態においては、例えばスマートウォッチなどの腕時計型の防水ウェアラブル機器としたが、本発明はこれに限定されるものではなく、携帯電話など他の情報機器等の防水型電子機器であってもよい。
また、筐体、表示操作部、防水検査用空間、及び防水検査用窓部の形状等も任意であり、その他、具体的な細部構造等についても適宜に変更可能であることは勿論である。
また、本実施形態では、防水検査用窓部Ｗがカバーガラス３の外周部に形成されているが、それに限定されることなく、防水検査用空間Ｓに対応する位置に設けられるのであれば、表示操作部とは異なる構成である例えば防水筐体１を加工することで防水検査用窓部Ｗを形成しても良い。
【００２０】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
電子部品を内蔵する防水筐体と、
前記防水筐体の開口部に密閉状態で配置される、表示可能な表示部と、
を備える防水型電子機器であって、
前記防水型電子機器は内部に防水検査用空間を有し、
前記防水検査用空間に対応する位置であって、前記表示部とは異なる位置に防水検査用窓部を有することを特徴とする防水型電子機器。
＜請求項２＞
前記防水検査用空間は、前記表示部の周りに位置し、
前記防水検査用窓部は、前記表示部の周りで前記防水検査用空間に対応する位置に配置されることを特徴とする請求項１に記載の防水型電子機器。
＜請求項３＞
前記表示部の周りを覆う外装部材を備えることを特徴とする請求項２に記載の防水型電子機器。
＜請求項４＞
前記防水検査用空間及び防水検査用窓部は、前記表示部の周方向に沿って間隔を開けて複数形成されていることを特徴とする請求項１から３のいずれか一項に記載の防水型電子機器。
＜請求項５＞
前記表示部は、板状の表示部材及び操作部材が積層された構成で、
前記表示部材及び操作部材の積層体の外表面側に板状の透明部材が配置されており、
前記防水検査用窓部は、前記透明部材の外周側に形成されていることを特徴とする請求項１から４のいずれか一項に記載の防水型電子機器。
＜請求項６＞
前記透明部材の外周側で前記防水検査用窓部を除く部分には、印刷部が形成されていることを特徴とする請求項５に記載の防水型電子機器。
＜請求項７＞
前記透明部材は、前記防水筐体の前記開口部に防水リングを介して圧入されており、
前記防水筐体の前記開口部を囲む周囲壁の外周に嵌め付けられた拘束リングを備えることを特徴とする請求項５または６に記載の防水型電子機器。
【符号の説明】
【００２１】
１  防水筐体
１ａ  開口部
１ｂ  周囲壁
２  表示操作部（表示部）
３  カバーガラス（透明部材）
４  タッチパネル（操作部材）
５  ＰＮ液晶パネル（表示部材）
６  ＴＦＴ液晶パネル（表示部材）
７  バックライト
８  両面テープ
９  両面テープ
１０  電子部品
１１  裏蓋
１２  防水パッキン
１３  防水リング
１４  拘束リング
１５  位置決め印
１６  ＧＰＳアンテナ
１７  外装部材
Ｓ  防水検査用空間
Ｗ  防水検査用窓部
【図１】
2018105632.tif 000003
【図２】
2018105632.tif 000004
【図３】
2018105632.tif 000005